(57)【要約】【課題】現実には同じレベルの重量であっても、肩や全身に感ずる体感重量を、従来の背負いベルトのピン部とピン穴による固定と長さ調整を行う場合と比較して、数分の１やさらにはそれ以上のレベルまでに軽く感ずるようにすることができるランドセルを提供する。【解決手段】背負いベルトの長さ調節と固定を、ベルト幅方向に形成された係止突起を有する上または下の背負いベルトと、該係止突起が係止するベルト幅方向に所定の間隔で形成された複数の凹溝を有する下または上の背負いベルトからなるスライド式アジャスタ機構により行うように構成したランドセル。【選択図】図１
2012148064.tif 000002
【特許請求の範囲】
【請求項１】
背負いベルトの長さ調節と固定を、ベルト幅方向に形成された係止突起を有する上または下の背負いベルトと、該係止突起が係止するベルト幅方向に所定の間隔で形成された複数の凹溝を有する下または上の背負いベルトからなるスライド式アジャスタ機構により行うように構成したことを特徴とするランドセル。
【請求項２】
前記ベルト幅方向に形成された係止突起が下の背負いベルトに形成され、該係止突起が係止するベルト幅方向に所定の間隔で形成された複数の凹溝が上の背負いベルトに形成されてなることを特徴とする請求項１記載のランドセル。
【請求項３】
前記係止突起がバックル部に設けられ、該バックル部の側面に設けられた係止解除ピンを押し込むことにより、前記係止突起と前記複数の凹溝との係止関係が解除されるように構成されたことを特徴とする請求項１または２記載のランドセル。
【請求項４】
前記係止突起がバックル部に設けられ、該バックル部を背負いベルト平面方向と垂直な方向に起こすことにより、前記係止突起と前記複数の凹溝との係止関係が解除されるように構成されたことを特徴とする請求項１または２記載のランドセル。
【請求項５】
前記係止突起がバックル部に設けられ、さらに該バックル部には、前記凹溝と係合して該凹溝を有する上または下の背負いベルトを該バックル内に導入させるベルト進行用回動爪部を有することを特徴とする請求項１〜４のいずれかに記載のランドセル。
【請求項６】
前記複数の凹溝が、背負いベルト長さ方向に、全長Ｌが１５〜３０ｃｍの長さで形成されていることを特徴とする請求項１〜５のいずれかに記載のランドセル。
【請求項７】
前記係止突起がバックル部に設けられ、該バックル部の側面全周を覆うカバー帯が付設されていることを特徴とする請求項１〜６のいずれかに記載のランドセル。
【発明の詳細な説明】
【技術分野】
【０００１】
本発明はランドセルに関し、更に詳しくは、背負ったとときに体に密着させることができ、体感する負荷重量を非常に小さなものにできて、背負うことによって使用者が感ずる負担を著しく軽減化できるランドセルに関する。
【背景技術】
【０００２】
小学生等が通学時に教材を入れて背負うランドセルは、近年の教科書やノートの大型化や教材の多種類・多様化に伴い、大容量化・大寸法化の傾向にある。
【０００３】
したがって、その収容物も加えた使用時には従来よりも重量化の傾向にあって、低学年〜中学年の生徒が背負ったときなど、肩への負担や全身への負担が従来に増して大きくなってきている。
【０００４】
ここで、身体の成長期にある小学生に肩や全身に重量物の負荷を感ずるような状況は、成長や健康面で望ましくなく、また、通学途中などで咄嗟の身体の動きが要されるときなどでも、それができるように、極力、肩や全身に重量物の負荷を感ずる状況は避けるべきことである。
【０００５】
ランドセルにおいて、その背負いベルトの構造・構成は小学生児童が背負ったときに肩や全身で負荷として感ずる体感重量を左右する一つの重要な要素である。そのため、背負いベルトの構成について、さまざまな工夫がなされてきている。
【０００６】
例えば、ベルト幅を肩部分において、最も細い部分の２〜３倍程度は広いあるいはそれよりも更に広い幅のものにすることや、背負いベルトの上部取付け部の位置を左右に調整可能にするという提案（特許文献１）、あるいは背負いベルトの下部取付け部の位置を左右に調整可能にするという提案（特許文献２）などがされている。また、皮革素材に加えて幅広に形成したクッション性を有する発泡樹脂材を併用した背負いベルトについての提案（特許文献３）などがされている。
【０００７】
しかし、これらの提案によるものは、従来から使用されている背負いベルトの領域を出ないものであり、小学生時代の６年間の体格の変化に合わせてベルト取付け位置を多少左右にずらすことや、多少クッション性のある発泡樹脂材を併用するようなことだけでは、肩や全身に感ずる体感重量を画期的に小さなものにするには十分ではなかった。
【０００８】
また、従来の背負いベルトのピン部とピン穴による長さ調整および固定を行う方式のランドセルでは、ベルトの長さの調整と固定は、小学校生活での６年間の使用期間中においてほとんどなされず、多くても購入時とあと進級に合わせて数回程度、つまり数年に数回程度の頻度であるのが一般的な使用実態であり、背負いベルトの連結構造には特別研究の目が向かなかったのが実状である。
【先行技術文献】
【特許文献】
【０００９】
【特許文献１】特開２００６−３０４９２９号公報
【特許文献２】実用新案登録第３１５２９７３号公報
【特許文献３】実用新案登録第３１３８９６０号公報
【発明の概要】
【発明が解決しようとする課題】
【００１０】
本発明の目的は、上述したような点に鑑み、現実には同じレベルの重量であっても、肩や全身に感ずる体感重量を、従来の背負いベルトのピン部とピン穴による長さ調整および固定を行う場合と比較して、数分の１やさらにはそれ以上のレベルまでに軽く感ずるようにすることができるランドセルを提供することにある。
【課題を解決するための手段】
【００１１】
上記した目的を達成する本発明のランドセルは、以下の（１）の構成からなる。
（１）背負いベルトの長さ調節と固定を、ベルト幅方向に形成された係止突起を有する上または下の背負いベルトと、該係止突起が係止するベルト幅方向に所定の間隔で形成された複数の凹溝を有する下または上の背負いベルトからなるスライド式アジャスタ機構により行うように構成したことを特徴とするランドセル。
【００１２】
また、かかる本発明のランドセルにおいて、以下の（２）〜（６）のいずれかの構成からなることが好ましい。
（２）前記ベルト幅方向に形成された係止突起が下の背負いベルトに形成され、該係止突起が係止するベルト幅方向に所定の間隔で形成された複数の凹溝が上の背負いベルトに形成されてなることを特徴とする上記（１）記載のランドセル。
（３）前記係止突起がバックル部に設けられ、該バックル部の側面に設けられた係止解除ピンを押し込むことにより、前記係止突起と前記複数の凹溝との係止関係が解除されるように構成されたことを特徴とする上記（１）または（２）記載のランドセル。
（４）前記係止突起がバックル部に設けられ、該バックル部を背負いベルト平面方向と垂直な方向に起こすことにより、前記係止突起と前記複数の凹溝との係止関係が解除されるように構成されたことを特徴とする上記（１）または（２）記載のランドセル。
（５）前記係止突起がバックル部に設けられ、さらに、該バックル部には前記凹溝と係合して該凹溝を有する上または下の背負いベルトを該バックル内に導入させるベルト進行用回動爪部を有することを特徴とする上記（１）〜（４）のいずれかに記載のランドセル。
（６）前記複数の凹溝が、背負いベルト長さ方向に、全長Ｌが１５〜３０ｃｍの長さで形成されていることを特徴とする上記（１）〜（５）のいずれかに記載のランドセル。
（７）前記係止突起がバックル部に設けられ、該バックル部の側面全周を覆うカバー帯が付設されていることを特徴とする上記（１）〜（６）のいずれかに記載のランドセル。
【発明の効果】
【００１３】
請求項１にかかる本発明のランドセルによれば、背負いベルトの段階的な長さ調整を数ｍｍピッチで行うことができるようになり、背負いベルトの長さを個人個人の体格や体型に合わせてより最適に調整と固定ができるので、肩や全身に感ずる体感重量を、従来の背負いベルトのピン部とピン穴による固定と長さ調整を行う場合と比較して数分の１やさらには１０分の１ぐらいまでに軽く感ずるようにすることができる。このベルト長さの調整とその固定は、背負う児童本人が、実際にそのランドセルに収納物を入れてそれを背負ったままの状態で行うことが可能であり、体感重量がより軽く感じる最適状態を体で感知しながら、その状態でのベルト長さの調整およびその固定を実現できることは大きな意義を有する。
【００１４】
体感重量を軽くできるということは、子供の体格の成長面、健康面に資するばかりか、通学途上などで咄嗟の敏捷な身体の動きが要されるときなどでも、それができるようになり、児童を思わぬ事故や事件から保護することにもつながる。
【００１５】
請求項２にかかる本発明のランドセルによれば、ベルト幅方向に所定の間隔で形成された複数の凹溝を有する上の背負いベルトを、係止突起を有する下の背負いベルトのバックル部に通して下に向けて引くだけで最適な背負いベルト長さに調整することができ、最適な長さの調整とその固定が簡単にできる。特に、ランドセルを背負ったままで、上の背負いベルトを下方にカチカチと引き下げるだけで、体感重量をより軽く感じることができる最適状態を体で感知しながら、その状態でのベルト長さの調整と固定が実現できるので、日々成長する児童の体格、体型などに合わせて、簡便に、より最適な状態でのベルト長さの調整とその固定を簡単にかつこまめに行うことができ、本発明の効果をいかんなく発揮できる。この効果は、請求項１の発明でも有するが、特に、上の背負いベルトを下方に引いて、長さ調整をすることになる請求項２の構成のものはやりやすいものである。
【００１６】
請求項３〜7のいずれかにかかる本発明のランドセルによれば、上述した本発明のランドセルの効果をさらにより確実に得ることができ、またスライド式アジャスタ機構の係止状態の解除や解除の防止などの点で使いやすいランドセルが提供される。
【図面の簡単な説明】
【００１７】
【図１】本発明にかかるランドセルの一実施態様例を示したものであり、背当て側から見た外観概略図であり、上下の背負いベルトを連結させていない状態を示しており、特に、図面上左側の背負いベルトは、折り返して、身体に面する凹溝を有する側を見せている。
【図２】本発明にかかるランドセルの一実施態様例を示したものであり、背当て側から見た外観概略図であり、図１に示したランドセルで上下の背負いベルトを連結させている状態を示している。
【図３】（ａ）、（ｂ）は、いずれも本発明にかかるランドセルで採用することができるスライド式アジャスタ機構の一例をモデル的に説明する外観斜視図である。
【図４】（ａ）、（ｂ）は、いずれも本発明にかかるランドセルで採用することができるスライド式アジャスタ機構の他の一例をモデル的に説明する外観斜視図である。
【発明を実施するための形態】
【００１８】
以下、図面などを用いて更に詳しく本発明のランドセルについて説明する。
【００１９】
図１および図２は、本発明のランドセルの一実施態様例を示したものであり、ランドセル本体１は、背当て部５側に、左右の背負いベルト２を有している。左右の背負いベルト２は、該背負いベルトの長さ調節と固定とを、ベルト幅方向に形成された係止突起を有する上の背負いベルト２１または下の背負いベルト２２と、該係止突起が係止するベルト幅方向に所定の間隔で形成された複数の凹溝３を有する下の背負いベルト２２または上の背負いベルト２１からなるスライド式アジャスタ機構により、それぞれ個々に行うように構成したことを特徴とする。
【００２０】
複数の凹溝３は、図１上の右側の上背負いベルト２１上に破線で示し、一方、同左側の裏が見えるように折り返した上背負いベルト２１上で実線で示したように、背負いベルトの裏側（身体側）の面に設けられている。その凹溝３が設けられている領域のベルト長さ方向の全長Ｌは約１５ｃｍ〜３０ｃｍで設けられていることが好ましい。より好ましくは、全長Ｌは約２０ｃｍ〜２５ｃｍ程度である。これは小学１年生から６年生までの体格の成長に適合できるようにである。また、凹溝のピッチは、３．５〜６ｍｍ程度、好ましくは４〜５ｍｍ程度で凹溝が設けられているのがよい。凹溝は耐久性の良い硬質の合成樹脂材などで、全体として複数の凹溝を有する一つの部材として形成するのがよい。
【００２１】
図１は、上下の背負いベルト２１、２２を連結させていない状態を示したが、図２は上下の背負いベルト２１、２２を連結させている状態を示している。
【００２２】
本発明のランドセルによれば、従来のランドセルにおけるピン穴にピンを通して背負いベルトの長さ調節とその固定を行う方式では、約２．５〜３．５ｃｍ程度のピッチでの長さの調節しかできなかったのに対して、約３．５〜６ｍｍ程度、概して約３．０〜５ｍｍ程度のより細かいピッチでの背負いベルトの長さの調節とその固定が可能となる。したがって、スライド式アジャスタ機構によって、実際に背負って体感しながら、より最適な条件でベルト長さを調整した上で固定でき、ランドセルを身体によりフィットさせ得る状態で背負うようにすることができる。その結果、本発明者らの検討によれば、従来の背負いベルトのピン穴にピンを通して背負いベルト長さの調節とその固定を行う方式のものと比べて、体感重量を数分の１〜１／５程度、場合によっては１／１０程度まで低減化させることができる。
【００２３】
本発明において、スライド式アジャスタ機構は、市販されている同機構を有する腰ベルトで採用されている方式などを採用できる。
【００２４】
例えば、一つめの例として、図３（ａ）に示したように、下側背負いベルト２２の先端に、爪状凸部などの係止突起７をバックル部の回動支持軸８近くに設けたバックル４を設け、該バックルを該回動支持軸８を支点にして回動（矢印Ａ）させてベルト面と平行に真っ直ぐにしたときに、バックルの爪状凸部７と上側背負いベルトの凹溝（図１の３）が互いに係合し、一方、該バックル４を該回動支持軸８を支点にして内側（裏側）に折り曲げるように回動させたときに、バックルの爪状凸部７と上側背負いベルト２１の凹溝（図１の３）の係合が離間し、上側背負いベルト２１をスライド可能にする態様がある。図３（ａ）において、２点鎖線Ｂは、バックル４に上側背負いベルトを通す経路を示す。
【００２５】
この一つめの態様例では、下側背負いベルト２２の先端に設けられたバックル４に上側背負いベルト２１を通し、該バックル側に設けられた爪状凸部などの係止突起に上側背負いベルトの内側の凹溝を仮りに係止させつつ、バックル部を一方の手で持った状態で、他方の手で上側背負いベルトをさらに下方に引くことにより、カチカチと音がするようにスライドさせて、該爪状凸部（係止突起）と上側背負いベルトの内側（裏側）の凹溝の係止関係が設置凹溝の１ピッチ単位でずれていき、連結長さの調整を短く絞り込むようにできる。一方、係止関係を解く際は、バックルを支持棒を支点にして内側に折り曲げることにより、爪状凸部（係止突起）と上側背負いベルトの内側（裏側）の凹溝の係止関係を解除し、上側背負いベルトを上方に引いて緩めて、連結の完全な解除や再度の長さ調整や微調整を行うことができるものである。
【００２６】
あるいは、二つめの態様例として、図３（ｂ）に示したように、バックルを内側（裏側）に折り曲げるようにしなくとも、該バックルの側面に突出して設けられたベルト幅方向に延在する係止解除ピン９を内側に押し込むことによって、バックル側に設けられた爪状凸部（係止突起）７を下げさせて（矢印Ｃ）、バックル４の爪状凸部７と上側背負いベルト２１の凹溝３の係合を離間させ、上側背負いベルト２１をスライド可能にする例がある。係止解除ピン９は、押し込まれていないときは、バネの力で戻っていて爪状凸部７と上側背負いベルト２１の凹溝３の係合状態を維持している。
【００２７】
この二つめの態様例では、上側背負いベルトと下側背負いベルトの係止関係を解くことを、バックルの側面に出ている係止解除ピン９を内側に押し込むことにより行うので、係止とその解除をよりしっかりと行うことができ、簡単に上下の背負いベルトの係合が解かれて、ランドセルが落下することがないようにできる点で好ましい。
【００２８】
また、三つめの態様例として、図示はしないが、バックルの側面に突出して設けられたベルト幅方向に延在する係止解除ピンをベルト長さ方向にスライドさせることにより溝内に落ち込ませ、それにより、バックル側に設けられた爪状凸部（係止突起）を下げさせて、バックルの爪状凸部（下側背負いベルト）と上側背負いベルトの凹溝の係合を離間させ、上側背負いベルトをスライド可能にする態様例がある。
【００２９】
また、四つ目の態様例として、図４（ａ）、（ｂ）に示すような、爪状凸部（係止突起）７（図４（ｂ））がバックル部４に設けられ、さらに該バックル部４には、凹溝３（図４（ａ））と係合して回転し、ラチェット機構により、該凹溝３を有する上または下の背負いベルトをバックル４内に導入させるベルト進行用回動爪部２４を有する構造にした態様例がある。
【００３０】
この態様では、バックル４の導入側にベルト進行用回動爪部２４が配され、該ベルト進行用回動爪部２４は、バックル４の最外側にバックルの回動支持軸２６を介してバックル４に取り付けられたバックルレバー２３の最先端に一体的に設けられている。
【００３１】
該ベルト進行用回動爪部２４は、図４（ａ）に示したように、好ましくは、２片〜５片程度の複数の爪部２４１、２４２を構成していて、バックルレバー２３をその回動支持軸２６を中心にして矢印Ｒ１方向に回転するように起こしたときに、該複数の爪部２４１、２４２もバックルレバー２３の回動支持軸２６を中心にして矢印Ｒ２方向に回動（回転）するように構成されている。この矢印Ｒ２方向に、爪部２４１、２４２が回動（回転）するときに、上背負いベルト２１をバックル４に差し入れると、凹溝３に爪部２４１、２４２が係合して、上背負いベルト２１をバックル４の内部に送り入れる。ベルト進行用回動爪部２４は、ラチェット機構を有するので、バックルレバー２３を何度も上げ下げすることにより、上背負いベルト２１をバックル４の内部に所望するだけ自由に送り入れることができる。
【００３２】
バックル４の内部で、かつバックルレバー２３の内側には、係止部材２７が配されていて、この係止部材２７のバックル先端側と反対側の端部には、爪状凸部（係止突起）７が設けられ、該爪状凸部（係止突起）７が上背負いベルト２１の凹溝３と噛み合って両ベルトが係止される。図４（ｂ）は、バックルレバー２３を起こしたときのバックルの外観斜視図であり、該係止部材２７は、該係止部材の回動支持軸２８を中心軸にして回動可能な構造に形成されているが、バックルレバー２３を降ろしたときには、係止部材２７は固定的に保持されて、爪状凸部（係止突起）７が凹溝３と噛み合う。通常時はバックルレバーの状態に関わらず、係止部材２７はバネ等（図示せず）の力により、凹溝３側に付勢されているが、係止部材２７の一部を凸状に形成して構成した係止解除ボタン２５を矢印Ｐ方向に押すことにより、回動支持軸２８を中心にして矢印Ｒ３の方向に爪状凸部（係止突起）７が持ち上がり、凹溝３との噛み合いが解除されて、両ベルト２１、２２の係合を解くことができる。この係止解除ボタン２５は、バックルレバー２３の中央部に開けた開口部２９を介して、該バックルレバー２３を降ろしているときでもバックルレバー２３の表面に頭部を露出しているので、矢印Ｐ方向に押す操作をすることが容易にできる。
【００３３】
バックル４は、下背負いベルト２２に設けずに、上背負いベルト２１側に設けることもできるが、その場合には、下背負いベルト２２に凹溝３を設けることになるので、一般に、凹溝の形成長さを大きくすることが難しくなり、背負いベルトの長さ調整可能範囲が小さくなるので、極力、バックル４が上の方に位置するようにして、両ベルト２１、２２を構成するのがよい。
【００３４】
また、凹溝３は、外側に向いて位置するように構成してもよいが、外観や汚れ防止などの点から、内側（身体側）に向くように構成するのがよい。バックルレバー２３の向きや係止解除ボタン２５の向きなども同様である。また、爪状凸部（係止突起）７と凹溝３との噛み合い部分よりも先端側の上背負いベルトは、バックル４の根本付近のベルト上に設けられた開口部３０を介して、身体側に回すか、あるいは反対側の外側に回すか、いずれかを採用することができる。
【００３５】
上述したいずれの態様例の場合でも、上側背負いベルト２１（あるいは下側背負いベルト２２）の複数の凹溝３は、その断面が鋸刃状のように、一方は傾斜面を呈して、他方は垂直面を呈して連続して凹溝を切ってあるものがよい。傾斜面は、ベルトをスライドさせて引いて絞るときに支障なく引くことができ、反面、垂直面はベルトが反対方向にスライドして緩むことを防止することができるからである。
【００３６】
また、上下の背負いベルト２１、２２の係合が簡単に解かれないようにする上で、バックル４を通った上側背負いベルト２１は、その先端をベルト通し環６に通すことも好ましく、例えば、図３（ｂ）に示したようにバックル４のすぐ近傍に、あるいはバックルとほぼ一体的に金属製や硬質のプラスチック製などの丈夫な素材で構成したベルト通し環６を設けることも好ましい。
【００３７】
また、バックル部付近の側面全周を覆うカバー帯もしくはカバー体（図示せず）が付設されていることも好ましい。バックル部を保護して簡単に上下の背負いベルトの係合が解放されないようにするためである。カバー帯もしくはカバー体の両端付近には面ファスナーを付設して、簡単かつ確実に該カバー帯もしくはカバー体でバックル部を覆うことと開放することが繰り返しできるようにするのがよい。
【００３８】
上下の背負いベルトの連結は、背負いベルトの長さ調整と固定時に同時になされるが、毎日の使用時になされる必要は必ずしもない。ただし、毎日、ランドセルを背負うたびに、実際に収納物を入れた状態で体感する重さを確認しながら、長さの調節、微調整および固定を行うこともよい。本発明のランドセルでは、背負いベルトの長さの微調整が数ｍｍ単位でできるので、そのような微調整を毎日の収納物の重量等にも合わせて行うようにすること、あるいは毎日でなくても何か変化ある毎に頻繁に行うことは、本発明のランドセルの効果をより享受できる点で好ましいことである。
【００３９】
なお、一度、調節して固定をした後は、上下の背負いベルトの連結が簡単に解けないように、バックル部分を、上述したようにカバー帯もしくはカバー体で覆ったり、あるいは上背負いベルトの先端付近に着脱可能な拡幅もしくは拡厚用の部材を付設して、簡単に上背負いベルトがバックルから抜けてしまうことがないようにするのがよい。そのようなカバー帯、カバー体あるいは拡幅もしくは拡厚用の部材は、皮革製、合成皮革製、合成樹脂製、布製のものなどで構成することができる。
【００４０】
本発明のランドセルにおいては、上側背負いベルトの先端にバックルを設け、下側背負いベルトの内側に凹溝を設ける構造にしてもよいが、その場合、下側背負いベルトをある程度、肩側に長くして構成することがよい。長さ調整代を確保するためである。
【００４１】
ただし、本発明のランドセルにおいて、上下の背負いベルトの連結時において、バックル部の位置する箇所は、ウェスト部〜腰部付近にかけてあることが身体にバックルが当たることがない点で好ましい。その点、図に示したような上側背負いベルトの内側に凹溝を設け、下側背負いベルトの先端にバックルを設ける構造の方が、実際上好ましい。
【００４２】
本発明のランドセルは、身体が小さい低学年の児童や、体力が弱めの児童、あるいは身長がグングンと伸びる成長期にある児童のランドセルに使用されて特に優れた効果を発揮する。
【符号の説明】
【００４３】
１：ランドセル本体
２：背負いベルト
３：凹溝
４：バックル
５：背当て部
６：ベルト通し環
７：爪状凸部（係止突起）
８：バックルの回動支持軸
９：係止解除ピン
２１：上背負いベルト
２２：下背負いベルト
２３： バックルレバー
２４：ベルト進行用回動爪部
２４１、２４２：ベルト進行用回動爪
２５：係止解除ボタン
２６：バックルレバーの回動支持軸
２７：係止部材
２８：爪状凸部（係止突起）の回動支持軸
２９：バックルレバー２３の中央部に開けた開口部
３０：バックル４の根本付近のベルト上に設けられた開口部
【図１】
2012148064.tif 000003
【図２】
2012148064.tif 000004
【図３】
2012148064.tif 000005
【図４】
2012148064.tif 000006